(57)【要約】【課題】看板横方向へ張り出すことなく、所定の面積の中でディスプレイと併せた訴求力の強い自由な表現が可能な内照明看板を提供すること。【解決手段】広告や店舗名などの報知情報を有し該情報を透過表示するディスプレイ部１１の領域内に、夫々独立して点灯及び消灯可能な複数のランプ部１２を設ける。【選択図】　　　図１
2004133089.tif 000002
【特許請求の範囲】
【請求項１】
報知情報を有したディスプレイ部の内側から光照射させて該報知情報を透過表示する内照明看板において、前記ディスプレイ部領域内にランプ部を設けたことを特徴とする内照明看板。
【請求項２】
前記ランプ部を、夫々独立して点灯及び消灯可能に複数設けたことを特徴とする請求項１記載の内照明看板。
【請求項３】
前記ランプ部を、前記ディスプレイ部外面から突出するように設けると共に、前記ディスプレイ部は、看板側面視状態で複数の前記ランプ部が視認可能なように凸湾曲していることを特徴とする請求項２記載の内照明看板。
【請求項４】
前記報知情報と関連付けさせた所要の点灯パターンで前記ランプ部を点滅制御させていることを特徴とする請求項２または３記載の内照明看板。
【発明の詳細な説明】
【０００１】
【発明の属する技術分野】
この発明は、広告や店舗名などの報知情報を透過表示させる内照明看板に関する。
【０００２】
【従来の技術】
従来より、広告や店舗名などの報知情報を知らしめるものの一つとして、内照明看板がある。
この内照明看板は、開口部を設けた機枠内に、蛍光灯、反射板等で構成される照明装置を設け、また、開口部に報知情報を有した平面状の光透過性樹脂部材を被装して、報知情報を透過表示させるように構成されており、たとえば、コンビニエンスストアや喫茶店等の店先に、店舗名（店舗の所在）を知らしめるように設置されている。
【０００３】
このように内照明式の看板を設置することによって、多くの人の目にとまるようになるが、同様の内照明式の看板が乱立すると、あまり目立たなくなってしまい、看板としての効果が薄れてしまう。
【０００４】
そこで、図８に示したように、点灯及び消灯可能な複数のランプを備えたランプ装置ｂ２を内照明看板ｂ１の側面に螺着せしめたものが考え出され、現在、内照明看板（スタンドタイプ）の主流となりつつある。
【０００５】
また、上記した内照明看板は、いずれも光透過性樹脂部材が略平面状であるものが一般的であるが、見る者に強い印象を与えるために、光透過性樹脂部材の一部を隆起させて表示させたものもある（例えば、特許文献１参照）。
【０００６】
【特許文献１】
特開平５−２７３９２７号公報　（第１頁、第１図）
【発明が解決しようとする課題】
しかしながら、上記したランプ装置を内照明看板の側面に螺着せしめた従来のものは、横方向に大きく張り出す形状となるため、狭い路地での設置に対し往来の邪魔となる場合が生じたり、また、情報を伝達させたいディスプレイの脇に点滅するランプがあるため、目立つ看板ではあるものの、多くの人は、まず、ランプ廻りに注目が集まってしまい、情報伝達としての効果は、さほど向上したものではない。
【０００７】
また、遠方から内照明看板を見た場合、単に内照明看板の側面が点滅しているに過ぎず、何の看板であるか識別できない。さらに、上記した光透過性樹脂部材の一部を隆起させて表示させた内照明看板の場合、看板の近くで見た場合（隆起のわかる範囲）にかぎり、広告対象の訴求力があるもので、遠方から見た場合、広告対象の訴求力以前に、何の看板であるかを識別することができない。
【０００８】
そこで、本発明は、看板横方向へ張り出すことなく、所定の面積の中でディスプレイと併せた訴求力の強い自由な表現が可能な内照明看板を提供することを目的とし、他に目的とする処は、夜間、遠方からでも広告内容が識別できる内照明看板を提供することにある。
【０００９】
【課題を解決するための手段】
上記課題を解決するために本発明にかかる内照明看板は、下記の技術的手段を講じた。
【００１０】
請求項１の発明は、報知情報を有したディスプレイ部の内側から光照射させて該報知情報を透過表示する内照明看板において、前記ディスプレイ部領域内にランプ部を設けたことを特徴とする。
【００１１】
請求項２の発明は、請求項１において、前記したランプ部を、夫々独立して点灯及び消灯可能に複数設けたことを特徴とする。
【００１２】
請求項３の発明は、請求項２において、前記したランプ部を、前記ディスプレイ部外面から突出するように設けると共に、前記したディスプレイ部は、看板側面視状態で複数の前記ランプ部が視認可能なように凸湾曲していることを特徴とする。
【００１３】
請求項４の発明は、請求項２または３において、前記した報知情報と関連付けさせた所要の点灯パターンで前記ランプ部を点滅制御させていることを特徴とする。
【００１４】
【発明の実施の形態】
次に、本発明の実施の形態を図１〜図７を用いて説明をする。図中、符号１は内照明看板を示す。
【００１５】
本実施形態における内照明看板１は、開口部を設けた機枠Ｍ内に設けられ蛍光灯と反射板と制御部とを備えて構成された照明装置（図示せず）と、その開口部に設けられ報知情報を透過表示させるディスプレイ部１１と、そのディスプレイ部１１内上部に設けられたランプ部１２とを備えて構成され、機枠Ｍ下部に取り付けられたキャスターによって移動可能になっている。
【００１６】
ディスプレイ部１１は、機枠Ｍ前面と背面に配設された光透過性樹脂部材１１１で、図２に示すように、水平方向に凸湾曲形成されていると共に、図４に示すように、ディスプレイ部１１上部には、機枠Ｍ上縁部と沿うように複数の凸部１１２（図においては６つ）が突出形成されている。
【００１７】
この光透過性樹脂部材１１１の内面には、広告や店舗名などの報知情報が印刷されており、機枠Ｍ内に設けられた照明装置（図示せず）によって透過表示されるようになっている。
なお、この凸湾曲形成は、図３に示すように、看板側面視状態で後述する複数個のランプ部１２が視認可能なような所要の曲率となっている。
【００１８】
ランプ部１２は、図４に示すように、赤色や青色などの色彩を放つ発光ダイオードが複数個内装されたランプ１２１（周知のものである）と、該ランプ１２１を着脱可能に取着したランプソケット１２２と、機枠Ｍ内部から延設され該ランプソケット１２２を保持する略Ｌ字状のステー１２３とを備えて構成され、上記した凸部１１２の位置に合わせるように取り付けられていると共に、制御部と電気的に接続されて、報知情報と関連付けさせた所要の点灯パターンで夫々のランプ１２１が点灯及び消灯可能になっている。
【００１９】
このステー１２３は、ランプソケット１２２毎に独立して複数個設けたり、夫々のランプソケット１２２をまとめて保持するように一つのステーとしても良いものである。
【００２０】
以上のように構成された本実施形態における内照明看板１は、照明装置によって透過表示されたディスプレイ部１１とは別に、ディスプレイ部１１領域内に設けられた複数個のランプ部１２が所要の点灯パターンで点滅する。
【００２１】
このように所要の点灯パターンでランプ部１２が点滅することで、遠方から見た場合や夜間の場合でも、報知情報を見なくても（見えずとも）点灯パターンで店舗などの識別ができる。
【００２２】
たとえば、コンビニエンスストアでの使用を例にすると、ランプ１２１点灯の順番や点滅時間等を当該コンビニエンスストアであるとの関連付けを行うことで、夜間や、遠方からでも当該コンビニエンスストアの存在がわかる。また、複数社あるコンビニエンスストアで夫々異なった点滅制御を行うことによって、コンビニエンスストアを識別することが可能となる。
【００２３】
また、看板側面視状態で複数個のランプ部１２が視認可能なような所要の曲率でディスプレイ部を凸湾曲形成したことで、看板を横から見ても、店舗などの識別がある程度可能となり、さらに所要の点灯パターンでランプ部１２が点滅することで、上記と同様に、遠方から見た場合や夜間の場合でも、報知情報が見えなくても店舗などの関連付けられた報知情報の識別が可能となる。
【００２４】
以上、本実施形態における内照明看板を説明したが、このものに限定されず、例えば、図５に示すように、ディスプレイ部をランプ部１２廻りと報知情報部廻りとに、機枠Ｍによって分けるようにしても良いもので、また、図６に示すように、ランプ直前の凸部１１２（二点鎖線で図示）を設けずに平面状にしても良い。
【００２５】
また、図７に示すように、ランプ１２１と、ランプソケット１２２を取り付けた下ケース１２４と、赤色や青色などの所望の色の透過性樹脂部材からなる上ケース１２５とを備えてランプ部１２’を構成し、ディスプレイ部１１’上部に穿設された取付孔１１３を介して、下ケース１２４と上ケース１２５とでディスプレイ部１１’に着脱可能に挟持するように設けても良い。
【００２６】
さらに、報知情報である文字や図形に対し、縁取りするようにランプ部を配設したり、発光ダイオードを用いたランプの他に、電球や、基板に直付けされた発光ダイオードを用いる等、その態様は任意である。
【００２７】
【発明の効果】
本発明は、以上のように構成したから下記の有利な効果を奏する。
請求項１によれば、ディスプレイ部領域内にランプ部を設けたから、看板横方向へ張り出すことなく、狭い路地での設置に対しても往来の邪魔となることがない。また、情報を伝達させたいディスプレイの中にランプ部があるため、ランプ廻りに注目が集まって、情報伝達としての効果を向上させることができる。
【００２８】
請求項２によれば、夫々独立して点灯及び消灯可能に複数のランプ部を設けたことで、所定の面積の中でディスプレイと併せた訴求力の強い自由な表現できる。
【００２９】
請求項３によれば、ディスプレイ部外面から突出するようにランプ部を設け、ディスプレイ部は、看板側面視状態で複数のランプ部が視認可能なように凸湾曲していることで、看板側面から見ても、当該看板が設置されている店舗などの識別がある程度できる。
【００３０】
請求項４によれば、報知情報と関連付けさせた所要の点灯パターンでランプ部を点滅制御させていることで、遠方から見た場合や夜間の場合等、報知情報が見えなくても関連付けられ報知情報、ひいては店舗などの識別ができる。
【図面の簡単な説明】
【図１】本実施形態にかかる内照明看板の正面図である。
【図２】同、平面図である。
【図３】同、側面図である。
【図４】ランプ部廻りの拡大縦断面図である。
【図５】他の変形例の正面図である。
【図６】ランプ部廻りの他の変形例を示した拡大縦断面図１である。
【図７】ランプ部廻りの他の変形例を示した拡大縦断面図２である。
【図８】従来の内照明看板の正面図である。
【符号の説明】
１　　　内照明看板
１１　　ディスプレイ部
１１１　光透過性樹脂部材
１１２　凸部
１２　　ランプ部
１２１　ランプ
１２２　ランプソケット
１２３　ステー
Ｍ　　　機枠
【図１】
2004133089.tif 000003
【図２】
2004133089.tif 000004
【図３】
2004133089.tif 000005
【図４】
2004133089.tif 000006
【図５】
2004133089.tif 000007
【図６】
2004133089.tif 000008
【図７】
2004133089.tif 000009
【図８】
2004133089.tif 000010